(57)【特許請求の範囲】
【請求項１】
水道栓から水槽の内部に供給される洗浄水を供給／遮断するフィルバルブと、
前記フィルバルブをオーバーフロー管に固定する固定部と、
前記水槽に貯水される水位に応じてフィルバルブの開閉孔をパッキングが開閉するフロートと、
前記水道栓から供給される洗浄水が水槽の内部へ供給されるように、かつ、前記洗浄水の逆流発生の際に水槽内部の洗浄水が水道栓へ逆流しないようにフィルバルブに内蔵される逆流止め部とを含んでなり、
前記逆流止め部は、
前記フィルバルブの供給管に取り付けられる逆流止め部材と、
前記フィルバルブの係止段に定着され、前記逆流止め部材の動作を制御する動作制御部材とを含んでなることを特徴とする、洋風便器のフィルバルブの逆流止め装置。
【請求項２】
フィルバルブは、
前記水道栓と前記供給管とが連通しながら両端に水槽側給水管とリム側給水管が貫通したバルブ体と、
前記バルブ体の底面に穿設される空気移動孔と、
前記供給管を開閉する給水弁と、
前記給水弁を支持するようにバルブ体に内蔵される支持部材と、
前記支持部材と前記給水弁を加圧する開閉孔付きキャップと、
前記キャップを収容しながらバルブ体に締結されて固定する締結ナットとを含んでなることを特徴とする、請求項１に記載の洋風便器のフィルバルブの逆流止め装置。
【請求項３】
前記逆流止め部材は、
前記供給管に取り付けられるように取付孔を有する逆流止め体と、
前記逆流止め体の外周面に突設され、動作制御部材に密着する逆流止め片とを含んでなることを特徴とする、請求項１に記載の洋風便器のフィルバルブの逆流止め装置。
【請求項４】
前記逆流止め部材は軟質の材質で形成されることを特徴とする、請求項１または３に記載の洋風便器のフィルバルブの逆流止め装置。
【請求項５】
前記動作制御部材は、
前記フィルバルブの係止段に定着される制御胴体と、
前記制御胴体の中央に穿設され、供給管の外周面を収容する貫通孔と、
前記制御胴体の底面に凹設され、逆流止め部材の逆流止め片が密着するようにする凹溝とを含んでなることを特徴とする、請求項１に記載の洋風便器のフィルバルブの逆流止め装置。
【請求項６】
前記動作制御部材の貫通孔の内周面に放射状に突設され、前記供給管に密着する案内リブをさらに含むことを特徴とする、請求項５に記載の洋風便器のフィルバルブの逆流止め装置。
【発明の詳細な説明】
【技術分野】
【０００１】
本発明は、オーバーフロー管に取り付けられ、水道栓から供給される洗浄水が水槽側と便器本体へ円滑に供給されるようにする洋風便器のフィルバルブに係り、より詳しくは、水道栓から水槽側と便器本体へ供給される洗浄水の断水発生の際に、水道栓から逆流する洗浄水の逆圧によって水槽および便器本体の洗浄水が水道栓に逆流することを防止する、洋風便器のフィルバルブの逆流止め装置に関する。
【背景技術】
【０００２】
一般に、浴室またはトイレに設置される洋風便器は、使用者が座って大小便をすることを可能にする便器本体が備えられ、前記便器本体に位置した大小便を浄化槽へ排出する洗浄水を貯水した水槽が便器本体の後方に備えられる。
また、前記水槽の内部に洗浄水を供給する給水装置は、例えば、本発明の出願人が韓国実用新案第１９９６−１０７３５号で出願し、第１３８３７９号で登録を受けた洋風便器の貯水槽給水装置がある。
【０００３】
先登録された前記韓国実用新案は、水道栓から供給される洗浄水が水槽の下部から上部に貯水されるので、洗浄水の水圧が低い場合、洗浄水の円滑な供給が行われないという問題点があった。
【０００４】
また、前記水槽に貯水される洗浄水の水位が満水位になってフロートのパッキングが開閉孔を閉鎖させるとき、水位に応じてフロートが上方に旋回して上昇すると同時に、フロートのパッキングと開閉孔との間隔が狭くなるにつれて、開閉孔へ供給される洗浄水から騒音が発生するという問題点があった。
【０００５】
近年、かかる問題点を解決するために、本発明の出願人は、韓国特許出願第３００５−１０７３５号で出願し、第７５８８２７号で洋風便器の洗浄水給水装置の登録を受けたことがある。
【０００６】
先登録された前記韓国特許は、オーバーフロー管の上端部にフィルバルブが取り付けられ、水槽の上部から下部へ洗浄水を供給して従来の問題点を解決する利点はあるが、供給される洗浄水が中断または断水されると、逆流する洗浄水の圧力によって、水槽に貯水された洗浄水または便器本体の洗浄水が瞬間的にフィルバルブを介して水道栓へ逆流すると同時に、水道栓に逆流する洗浄水が水道栓を汚染させるうえ、さらに洗浄水が供給されるとき、汚染した水道栓を介して洗面器、シャワー器または厨房弁へ供給されるので非衛生的であるという問題点があった。
【発明の概要】
【発明が解決しようとする課題】
【０００７】
そこで、本発明は、上述したよう従来の諸般欠陥に鑑みてなされたもので、その目的は、水道栓から供給される洗浄水を水槽の内部へ円滑に供給するとともに、水道栓から供給される洗浄水の逆流の際に、水槽および便器本体の洗浄水が逆流しないようにする、洋風便器のフィルバルブの逆流止め装置を提供することにある。
【０００８】
また、本発明の他の目的は、水槽および便器本体の洗浄水が水道栓へ逆流しないようにすることにより、水道栓の汚染を防止して衛生的に使用することができる、洋風便器のフィルバルブの逆流止め装置を提供することにある。
【課題を解決するための手段】
【０００９】
本発明は、水道栓から水槽の内部に供給される洗浄水を供給／遮断するフィルバルブと、前記フィルバルブをオーバーフロー管に固定する固定部と、前記水槽に貯水される水位に応じてフィルバルブの開閉孔をパッキングが開閉するフロートと、前記水道栓から供給される洗浄水が水槽の内部へ供給されるように、かつ、前記洗浄水の逆流発生の際に水槽内部の洗浄水を水道栓へ逆流しないようにフィルバルブに内蔵される逆流止め部とを含んでなり、前記逆流止め部は、前記フィルバルブの供給管に取り付けられる逆流止め部材と、前記フィルバルブの係止段に定着され、前記逆流止め部材の動作を制御する動作制御部材とを含むことを特徴とする、洋風便器フィルバルブの逆流止め装置を提供する。
【発明の効果】
【００１０】
本発明に係る洋風便器のフィルバルブの逆流止め装置によれば、水道栓から水槽の内部へ供給される洗浄水の逆流発生の際に、水道栓に逆流する洗浄水の逆圧によって逆流止め部材の逆流防止片が縮みながら動作制御部材の凹溝に堅固に密着するとともに、水道栓と水槽内部との連通を遮断して水槽内部の汚染水が逆流することを防止することができるという利点を持つ。
また、本発明に係る洋風便器のフィルバルブの逆流止め装置によれば、水槽内部の汚染水による水道栓の汚染を防止して衛生的に使用することができるようにするとともに、使用者が製品に対する信頼性を向上させることができるという利点を持つ。
【図面の簡単な説明】
【００１１】
【図１】本発明の斜視図である。
【図２】本発明の分離斜視図である。
【図３】本発明の断面図である。
【図４】本発明の設置状態図である
【図５】本発明の作動状態図である。
【図６】本発明の作動状態図である。
【発明を実施するための形態】
【００１２】
以下、添付図面に基づいて本発明の一実施例を詳細に説明する。図１は本発明の斜視図、図２は本発明の分離斜視図である。
本発明に係る洋風便器のフィルバルブの逆流止め装置１００は、水道栓から水槽１０の内部へ供給される洗浄水を供給／遮断するフィルバルブ１１０と、前記フィルバルブ１１０をオーバーフロー管２０に固定する固定部１２０と、前記水槽１０に貯水される水位に応じてフィルバルブ１１０の開閉孔１１６ａをパッキング１３１が開閉するフロート１３０と、前記水道栓から供給される洗浄水が水槽１０の内部へ供給されるように、かつ、前記洗浄水の逆流発生の際に水槽１０内の洗浄水が水道栓へ逆流しないようにフィルバルブ１１０に内蔵される逆流止め部１４０とを含んでなる。
前記フィルバルブ１１０は、前記水道栓と供給管１１２とが連通しながら両端に水槽側給水管１１１ａとリム側給水管１１１ｂが貫通したバルブ体１１１と、前記バルブ体１１１の底面に穿設される空気移動孔１１３と、前記供給管１１２を開閉する給水弁１１４と、前記給水弁１１４を支持するようにバルブ体１１１に内蔵される支持部材１１５と、前記支持部材１１５と給水弁１１４を加圧する開閉孔１１６ａ付きキャップ１１６と、前記キャップ１１６を収容しながらバルブ体１１１に締結されて固定する締結ナット１１７とを含んでなる。
また、前記逆流止め部１４０は、前記フィルバルブ１１０の供給管１１２に取り付けられる逆流止め部材１４１と、前記フィルバルブ１１０の係止段１１１ｃに定着されて逆流防止部材１４１の動作を制御する動作制御部材１４２とを含んでなる。次に、これをさらに具体的に説明する。
前記逆流止め部材１４１は、前記供給管１１２に取り付けられるように取付孔１４１ａ’を有する逆流止め体１４１ａと、前記逆流止め体１４１ａの外周面に突設され、動作制御部材１４２に密着する逆流止め片１４１ｂを含んでなる。
前記逆流止め部材１４１は軟質の材質で形成されることが好ましい。
前記動作制御部材１４２は、前記フィルバルブ１１０の係止段１１１ｃに定着される制御胴体１４２ａと、前記制御胴体１４２ａの中央に穿設され、供給管１１２の外周面を収容する貫通孔１４２ｂと、前記制御胴体１４２ａの底面に凹設され、逆流止め部材１４１の逆流防止片１４１ｂが密着するようにする凹溝１４２ｃとを含んでなる。
前記動作制御部材１４２の貫通孔１４２ｂの内周面に放射状に突設され、供給管１１２に密着する案内リブ１４２ｂ’をさらに含んで構成される。
次に、上述したように構成された本発明の結合および設置過程について説明する。
まず、図３および図４に示すように、フィルバルブ１１０の供給管１１２に逆流止め部材１４１の取付孔１４１ａ’を取り付けながら逆流止め体１４１ａが結合されるようにし、前記逆流止め部材１４１の上部に位置するように動作制御部材１４２をバルブ体１１１の係止段１１１ｃに定着させる。
この際、前記動作制御部材１４２の貫通孔１４２ｂが供給管１１２を収容しながら制御胴体１４２ａが係止段１１１ｃに定着されるが、前記貫通孔１４２ｂの内周面に放射状に突設された案内リブ１４２ｂ’は、供給管１１２の外周面に密着し、前記制御胴体１４２ａの底面に凹設された凹溝１４２ｃに逆流止め部材１４１の逆流止め片１４１ｂが密着する。
また、前記動作制御部材１４２の上部に支持部材１１５を定着させ、前記支持部材１１５に給水弁１１４を定着させた後、前記給水弁１１４にキャップ１１６を定着させ、しかる後に、前記キャップ１１６を収容する締結部材１１７をバルブ体１１１に締結して固定させる。
前記キャップ１１６の開閉孔１１６ａを開閉させるパッキング１３１は、フロート１３０に内蔵されて前記キャップ１１６に回転可能に取り付けられる。前記フロート１３０が結合されたフィルバルブ１１０の供給管１１２に水道栓を連結した後、オーバーフロー管２０に固定部１２０で固定すると、本発明に係る洋風便器のフィルバルブの逆流止め装置１００の結合が完了する。
ここで、前記固定部１２０は、オーバーフロー管２０に固定されてフィルバルブ１１０が水槽１０の内部に貯水される洗浄水に水没してもよいが、オーバーフロー管２０の上端部に固定されてフィルバルブ１１０が洗浄水に水没しないことが好ましい。
上述したように結合された本発明の作動過程について説明すると、使用者の用便の後、使用者の調節レバー（図示せず）の操作に応じてサイフォンカバー（図示せず）が上方に旋回しながら水槽１０の排出孔１１を開放すると同時に、開放された排出孔１１を介して、水槽１０に貯水された洗浄水が便器本体３０の内部へ排出されながら大小便を浄化槽へ排出する洗浄を行う。
前記排出孔１１から洗浄水が排出されて水位が低くなると、図５に示すように、フロート１３０がキャップ１１６を中心に下方に旋回してフロート１３０のパッキング１３１がキャップ１１６の開閉孔１１６ａを開放すると同時に、給水弁１１４とキャップ１１６との間に位置した洗浄水が開閉孔１１６ａを介して水槽１０の内部へ排出されながら給水弁１１４の支持力が失われる。
ここで、支持力の失われた給水弁１１４は、水道栓から供給管１１２へ供給される洗浄水の水圧によって上昇してキャップ１１６の内部へ移動しながら供給管１１２を開放し、開放された供給管１１２と動作制御部材１４２の貫通孔１４２ｂおよび案内リブ１４２ｂ’との間を通過しながら逆流止め部材１４１の逆流止め片１４１ｂを加圧する。これと同時に、前記逆流止め片１４１ｂは逆流止め体１４１ａを中心に下方に旋回して凹溝１４２ｃから離脱する。
前記凹溝１４２ｃから逆流止め片１４１ｂが離脱すると、前記動作制御部材１４２の制御胴体１４２ａと逆流止め部材１４１の逆流止め片１４１ｂとの間に洗浄水が供給されると同時に、前記洗浄水は水槽側給水管１１１ａとリム側給水管１１１ｂへ大部分供給されるが、前記洗浄水の一部は給水弁１１４の通孔（図示せず）を介して給水弁１１４とキャップ１１６との間に供給される。
ここで、使用者の大小便によって便器本体３０が詰まって洗浄されない場合、便器本体３０は、大小便と洗浄水とが混合される汚染水が貯水されると同時に、前記供給管１１２へ供給される洗浄水は水槽１０に貯水されるが、前記水槽１０に貯水される洗浄水も汚染水と混合されて汚染してしまい、汚染した汚染水の一部は供給管１１２へ供給される洗浄水と共にオーバーフロー管２０を介して浄化槽へ排出される。
前記水道栓へ供給される洗浄水によって大小便を洗浄する状態で、前記水道栓から供給管１１２へ供給される洗浄水の供給が中断または断水されると、前記水道栓へ供給される洗浄水が逆流すると同時に、洗浄水が逆流することにより発生する圧力差、すなわち逆圧によって水槽１０の汚染水を瞬間的に吸入する現象が発生する。
この際、前記洗浄水の供給が中断または断水されると、図６に示すように、逆流止め部材１４１の逆流止め片１４１ｂは自体の復元力で復元されて動作制御部材１４２の凹溝１４２ｃに密着すると同時に逆圧によって前記逆流止め片１４１ｂが凹溝１４２ｃにさらに堅固に密着しながら供給管１１２と水槽１０内部との連通を遮断して水槽１０内の汚染水が逆流しないようにすることにより、水道栓の汚染を防止することができる。
前記逆流止め部１４０によって水槽１０の汚染水が水道栓に逆流することを遮断すると、前記給水弁１１４とキャップ１１６との間の洗浄水が逆流しながら開放される開閉孔１１６ａとフィルバルブ１１０の空気移動孔１１３へ外部空気が流入すると同時に、水道栓の逆圧を相殺させることができ、これにより水道栓の汚染を防止しながら衛生的に使用することができる。
以上、本発明を限定された実施例および図面によって説明したが、本明細書および請求の範囲に使用された用語または単語は、通常的かつ辞典的な意味で限定されて解釈されてはならず、本発明の技術的思想に符合する意味と概念で解釈されなければならない。よって、本明細書に記載された実施例と図面に示された構成は、本発明の一実施例に過ぎないもので、本発明の技術的思想を全て代弁するものではない。よって、本発明の請求の範囲を外れない限度内において、様々な均等物と変形例があり得ることを理解すべきである。
【符号の説明】
【００１３】
１００    逆流止め装置
１１０    フィルバルブ
１２０    固定部
１３０    フロート
１４０    逆流止め部
１４１    逆流止め部材
１４１ａ    逆流止めボディ
１４１ｂ    逆流止め片
１４２    動作制御部材
１４２ａ    制御胴体
１４２ｂ    貫通孔
１４２ｂ’    案内リブ
１４２ｃ    凹溝
【図１】
0005396679.tif 000002
【図２】
0005396679.tif 000003
【図３】
0005396679.tif 000004
【図４】
0005396679.tif 000005
【図５】
0005396679.tif 000006
【図６】
0005396679.tif 000007